(57)【要約】【課題】誤り訂正能力に影響を与えることなくディスク状記録媒体に特定の情報を記録し、記録された特定の情報を再生する。【解決手段】コピープロテクション情報（ＣＰＩＤ）は、エラー訂正符号が付加され、シャッフル処理等が施された後、ＣＰＩＤビットブロックとしてＥＤＣ書換回路１４に送られる。ＥＤＣ書換回路１４は、各セクタのユーザデータに付加されたエラー検出符号を、ＣＰＩＤビットブロックのビット情報に応じて書き換える。その後、各セクタのデータに対してスクランブル処理が施され、複数のセクタからなるＥＣＣブロックに対してエラー訂正符号、同期信号が付加され、変調される。変調信号は、ディスク状記録媒体のリードイン領域のうち、リザーブエリアに記録される。再生時には、各セクタのエラー検出結果に基づいてＣＰＩＤが復元される。【選択図】図１
2007102846.tif 000002
【特許請求の範囲】
【請求項１】
少なくとも所定の信号がセクタ単位で第１の領域に記録されたディスク状記録媒体であって、
上記第１の領域の各セクタは、第１のデータと、該第１のデータに基づいてエンコードされた誤り検出符号とで構成されており、
上記第１のデータ及び上記誤り検出符号の一部は、第２のデータのビット情報に応じて書き換えられている
ことを特徴とするディスク状記録媒体。
【請求項２】
所定数のセクタで構成された各ブロックに対して誤り訂正符号が付加されていることを特徴とする請求項１記載のディスク状記録媒体。
【請求項３】
上記第２のデータは、特定の情報と、該特定の情報に基づいてエンコードされた誤り訂正符号とで構成されていることを特徴とする請求項１記載のディスク状記録媒体。
【請求項４】
コンテンツ信号がセクタ単位で第２の領域に記録されており、
上記特定の情報は、上記コンテンツ信号をコピープロテクトするキー情報である
ことを特徴とする請求項３記載のディスク状記録媒体。
【請求項５】
上記第２のデータは、情報位置を並び替えるシャッフル処理が施されたものであることを特徴とする請求項１記載のディスク状記録媒体。
【請求項６】
上記第２のデータは、情報ビットをランダム化するスクランブル処理が施されたものであることを特徴とする請求項１記載のディスク状記録媒体。
【請求項７】
上記第１の領域は、リードイン領域又はリードアウト領域であることを特徴とする請求項１記載のディスク状記録媒体。
【請求項８】
第１のデータに対して誤り検出符号を付加し、
上記第１のデータ及び上記誤り検出符号の一部を第２のデータのビット情報に応じて書き換え、
上記第２のデータのビット情報に応じて書き換えられた上記第１のデータ及び上記誤り検出符号を各セクタの信号としてディスク原盤の第１の領域に記録してスタンパを作製し、
上記スタンパを用いてディスク状記録媒体を作製する
ことを特徴とするディスク状記録媒体の製造方法。
【請求項９】
第１のデータに対して誤り検出符号を付加し、
上記第１のデータ及び上記誤り検出符号の一部を第２のデータのビット情報に応じて書き換え、
上記第２のデータのビット情報に応じて書き換えられた上記第１のデータ及び上記誤り検出符号を各セクタの信号としてディスク状記録媒体の第１の領域に記録する
ことを特徴とするディスク記録方法。
【請求項１０】
所定数のセクタで構成された各ブロックに対して誤り訂正符号が付加されていることを特徴とする請求項９記載のディスク記録方法。
【請求項１１】
上記第２のデータは、特定の情報と、該特定の情報に基づいてエンコードされた誤り訂正符号とで構成されていることを特徴とする請求項９記載のディスク記録方法。
【請求項１２】
上記特定の情報は、上記ディスク状記録媒体の第２の領域に記録されるコンテンツ信号をコピープロテクトするキー情報であることを特徴とする請求項１１記載のディスク記録方法。
【請求項１３】
上記第１の領域は、リードイン領域又はリードアウト領域であることを特徴とする請求項９記載のディスク記録方法。
【請求項１４】
第１のデータに対して誤り検出符号を付加する誤り検出符号付加手段と、
上記第１のデータ及び上記誤り検出符号の一部を第２のデータのビット情報に応じて書き換える書換手段と、
上記第２のデータのビット情報に応じて書き換えられた上記第１のデータ及び上記誤り検出符号を各セクタの信号としてディスク状記録媒体の第１の領域に記録する記録手段と
を備えることを特徴とするディスク記録装置。
【請求項１５】
少なくとも所定の信号がセクタ単位で第１の領域に記録されたディスク状記録媒体を再生するディスク再生方法であって、
上記第１の領域の各セクタは、第１のデータと、該第１のデータに基づいてエンコードされた誤り検出符号とで構成されており、
上記第１のデータ及び上記誤り検出符号の一部は、第２のデータのビット情報に応じて書き換えられており、
上記第１の領域の各セクタについて誤り検出を行い、
各セクタの誤り検出結果に応じて上記第２のデータを復元する
ことを特徴とするディスク再生方法。
【請求項１６】
所定数のセクタで構成された各ブロックに対して誤り訂正符号が付加されており、
各ブロックについて誤り訂正を行い、
誤り訂正後の各セクタについて誤り検出を行う
ことを特徴とする請求項１５記載のディスク再生方法。
【請求項１７】
上記第２のデータは、特定の情報と、該特定の情報に基づいてエンコードされた誤り訂正符号とで構成されていることを特徴とする請求項１５記載のディスク再生方法。
【請求項１８】
コンテンツ信号がセクタ単位で第２の領域に記録されており、
上記特定の情報は、上記コンテンツ信号をコピープロテクトするキー情報である
ことを特徴とする請求項１７記載のディスク再生方法。
【請求項１９】
上記第１の領域は、リードイン領域又はリードアウト領域であることを特徴とする請求項１５記載のディスク再生方法。
【請求項２０】
少なくとも所定の信号がセクタ単位で第１の領域に記録されたディスク状記録媒体を再生するディスク再生装置であって、
上記第１の領域の各セクタは、第１のデータと、該第１のデータに基づいてエンコードされた誤り検出符号とで構成されており、
上記第１のデータ及び上記誤り検出符号の一部は、第２のデータのビット情報に応じて書き換えられており、
上記第１の領域の各セクタについて誤り検出を行う誤り検出手段と、
各セクタの誤り検出結果に応じて上記第２のデータを復元する復元手段と
を備えることを特徴とするディスク再生装置。
【発明の詳細な説明】
【技術分野】
【０００１】
本発明は、ディジタル信号が記録されたディスク状記録媒体及びその製造方法、ディスク状記録媒体にディジタル信号を記録するディスク記録方法及びその装置、並びにディスク状記録媒体に記録されたディジタル信号を再生するディスク再生方法及びその装置に関する。
【背景技術】
【０００２】
従来より、コンテンツ信号等のディジタル信号を記録媒体に記録する場合には、これらディジタル信号に対して誤り検出符号（Error Detection Code；ＥＤＣ）及び誤り訂正符号（Error Correction Code；ＥＣＣ）を付加することが行われている。
【０００３】
このため、例えば上記ディジタル信号が記録された記録媒体を再生する場合には、当該記録媒体から読み出されたディジタル信号に対して上記誤り検出符号を用いた誤り検出処理と上記誤り訂正符号を用いた誤り訂正処理とを施すことで、上記ディジタル信号の再生が行われている。
【０００４】
【特許文献１】特許第３５８００４１号公報
【発明の開示】
【発明が解決しようとする課題】
【０００５】
ところで、近年は、コンテンツ信号等のディジタル信号が記録された記録媒体として、ＣＤ（Compact Disc）、ＣＤ−ＲＯＭ（Compact Disc−Read Only Memory）、ＤＶＤ（Digital Versatile Disc）等が全世界に普及している。
【０００６】
ここで、このようなＣＤ、ＣＤ−ＲＯＭ或いはＤＶＤ等の記録媒体に記録された信号を読み取り、上述したような誤り訂正処理等を施して上記ディジタル信号の全てを再生し、例えばハードディスク等の記録再生可能な記録媒体にコピーし、その後、当該ハードディスク等にコピーしたディジタル信号を、ＣＤ、ＣＤ−ＲＯＭ或いはＤＶＤ等のエンコードシステムに供給して、新たなＣＤ、ＣＤ−ＲＯＭ、ＤＶＤ等を作製すれば、元のオリジナルのディジタル信号と全く同じディジタル信号がコピーされたＣＤ、ＣＤ−ＲＯＭ、ＤＶＤ等を作製することができる。
【０００７】
このようにして次々に新たな記録媒体を作製すると、当該記録媒体に記録されているディジタル信号が、元のオリジナルのディジタル信号であるのか、或いは不法にコピーされたディジタル信号であるのかが区別できないことになる。
【０００８】
したがって、記録媒体に記録されているディジタル信号がオリジナルのディジタル信号かコピーされたディジタル信号かを特定でき、さらに不法にディジタル信号が記録された記録媒体については再生不能にできることが望まれている。
【０００９】
このような背景から、特許文献１には、ディジタル信号の誤り訂正符号の一部を置換することで、特定の情報、例えばオリジナル又はコピーの何れかを示す識別情報を当該ディジタル信号とは別に記録し、再生時にはこの誤り訂正符号の一部から当該特定の情報を抽出することにより、オリジナルのディジタル信号であるかコピーされたディジタル信号であるかを特定する技術が開示されている。
【００１０】
しかしながら、この特許文献１記載の技術では、ディジタル信号の誤り訂正符号の一部を置換して特定の情報を記録することにより、誤り訂正能力が低下してしまうことになるため、誤り訂正符号を置換することなく特定の情報を記録媒体に記録すると共に、記録された当該特定の情報を再生する方法が望まれていた。
【００１１】
本発明は、このような従来の実情に鑑みて提案されたものであり、誤り訂正能力に影響を与えることなく特定の情報が記録されたディスク状記録媒体及びその製造方法、特定の情報を記録するディスク記録方法及びその装置、並びに記録された特定の情報を再生するディスク再生方法及びその装置を提供することを目的とする。
【課題を解決するための手段】
【００１２】
上述した目的を達成するために、本発明に係るディスク状記録媒体は、少なくとも所定の信号がセクタ単位で第１の領域に記録されたディスク状記録媒体であって、上記第１の領域の各セクタは、第１のデータと、該第１のデータに基づいてエンコードされた誤り検出符号とで構成されており、上記第１のデータ及び上記誤り検出符号の一部は、第２のデータのビット情報に応じて書き換えられていることを特徴とする。
【００１３】
また、本発明に係るディスク状記録媒体の製造方法は、第１のデータに対して誤り検出符号を付加し、上記第１のデータ及び上記誤り検出符号の一部を第２のデータのビット情報に応じて書き換え、上記第２のデータのビット情報に応じて書き換えられた上記第１のデータ及び上記誤り検出符号を各セクタの信号としてディスク原盤の第１の領域に記録してスタンパを作製し、上記スタンパを用いてディスク状記録媒体を作製することを特徴とする。
【００１４】
また、本発明に係るディスク記録方法及びその装置は、第１のデータに対して誤り検出符号を付加し、上記第１のデータ及び上記誤り検出符号の一部を第２のデータのビット情報に応じて書き換え、上記第２のデータのビット情報に応じて書き換えられた上記第１のデータ及び上記誤り検出符号を各セクタの信号としてディスク状記録媒体の第１の領域に記録することを特徴とする。
【００１５】
また、本発明に係るディスク再生方法及びその装置は、少なくとも所定の信号がセクタ単位で第１の領域に記録されたディスク状記録媒体を再生するディスク再生方法及びその装置であって、上記第１の領域の各セクタは、第１のデータと、該第１のデータに基づいてエンコードされた誤り検出符号とで構成されており、上記第１のデータ及び上記誤り検出符号の一部は、第２のデータのビット情報に応じて書き換えられており、上記第１の領域の各セクタについて誤り検出を行い、各セクタの誤り検出結果に応じて上記第２のデータを復元することを特徴とする。
【発明の効果】
【００１６】
本発明によれば、誤り訂正能力に影響を与えることなくディスク状記録媒体に特定の情報、例えばコンテンツ信号をコピープロテクトするキー情報を記録し、記録された特定の情報を再生することができる。
【発明を実施するための最良の形態】
【００１７】
以下、本発明を適用した具体的な実施の形態について、図面を参照しながら詳細に説明する。
【００１８】
先ず、光ディスクに記録される特定の情報としてコピープロテクション情報（Copy Protection IDentification；ＣＰＩＤ）を含む記録信号を生成する記録信号生成装置の概略構成を図１に示す。図１に示すように、記録信号生成装置１０は、ＥＣＣ（Error Correction Code）付加回路１１と、シャッフル処理回路１２と、ＥＤＣ（Error Detection Code）付加回路１３と、ＥＤＣ書換回路１４と、スクランブル処理回路１５と、ＥＣＣ付加回路１６と、同期付加回路１７と、変調回路１８とから構成されている。
【００１９】
ここで、本実施の形態では、特定の情報としてのＣＰＩＤは、１２８ビット（１６バイト）で構成されているものとする。また、光ディスクに記録する際の１単位となるセクタは、第１のデータとしての２ｋバイト（２０４８バイト）のユーザデータ、１０バイトのセクタヘッダ、及び４バイトのＥＤＣからなり、１つの記録再生ユニットであるＥＣＣブロック（クラスタ）は、１６個のセクタで構成されているものとする。
【００２０】
ＥＣＣ付加回路１１は、ＣＰＩＤに対して、当該ＣＰＩＤに基づいてエンコードされたＥＣＣパリティを付加する。ＣＰＩＤのＥＣＣフォーマットを図２に示す。図２に示すように、エラー訂正符号はＲＳ（２０，１６，５）、すなわち符号長２０、データ長１６、距離５のＲＳ（Reed Solomon）符号である。このようにＣＰＩＤにＥＣＣパリティを付加することにより、ＣＰＩＤを復元した際のビット情報の信頼性を高めることができる。
【００２１】
シャッフル処理回路１２は、１２８ビットのＣＰＩＤに３２ビットのＥＣＣが付加された１６０ビット（２０バイト）のデータに対して、乱数で生成されたテーブルを用いてシャッフル処理を施す。例えば１６０ビットのデータをｂ１５９，ｂ１５８，・・・，ｂ１，ｂ０としたとき、ｂ１５９をｂ１２１の位置に、ｂ１５８をｂ３５の位置に、・・・、ｂ１をｂ１４２の位置に、ｂ０をｂ１３の位置にそれぞれ並び替えることにより、シャッフル処理を施す。さらに、シャッフル処理回路１２は、情報位置が並び替えられた１６０ビットのデータに対してスクランブル処理を施す。具体的には、Ｍ系列により乱数を１６０ビット発生させ、ビット毎に１６０ビットのデータと１６０ビットの乱数との排他的論理和を計算することによりスクランブル処理を施す。これにより、シャッフルされた第２のデータとしてのＣＰＩＤビットブロックが得られる。このようにシャッフル処理回路１２においてシャッフル処理及びスクランブル処理を施すことにより、ＣＰＩＤの機密性を高めることができる。
【００２２】
ＥＤＣ付加回路１３は、各セクタ２０４８バイト、全１６セクタのユーザデータに対して、セクタ毎に１０バイトのセクタヘッダ及び４バイトのＥＤＣを付加する。このＥＤＣは、ユーザデータの再生時にデータが正しいか否かをチェックする目的のため、ユーザデータ及びセクタヘッダに基づいてエンコードされる。
【００２３】
ＥＤＣ書換回路１４は、ＣＰＩＤビットブロックのビット情報に基づき、ＥＤＣを必要に応じて書き換える。例えば、ＣＰＩＤビットブロックの１ビット目のビット情報が“１”であれば１セクタ目のＥＤＣの１バイト（又は１ビット）を書き換え、“０”であれば１セクタ目のＥＤＣは書き換えない。同様にして、ＣＰＩＤビットブロックの１６０ビットのビット情報について、１６０セクタ分のＥＤＣを必要に応じて書き換える。
【００２４】
スクランブル処理回路１５は、ＥＤＣが付加された各セクタ２０５２バイト、全１６セクタのデータに対して、アドレスであるＰＳＮ（Physical Sector Number）をシードとしたスクランブル処理を施す。
【００２５】
このスクランブル処理について図３を用いてさらに説明する。図３に示すように、スクランブル処理回路１５は、多項式Φ（ｘ）＝Ｘ１６＋Ｘ１５＋Ｘ１３＋Ｘ４＋１に基づいた１６ビットのシフトレジスタ２１と、排他的論理和回路２２〜２４とから構成されている。シフトレジスタ２１は、Ｓ０からＳ１５までのレジスタからなり、シフトクロックの１クロック毎にＳｎの値をＳｎ＋１にシフトさせる（ｎ＝０、・・・、１４）。但し、Ｓ０にはＳ１５＄Ｓ１４＄Ｓ１２＄Ｓ３（＄は排他的論理和を表す）が入力する。
【００２６】
スクランブル処理に際しては、スクランブル処理を行うデータブロックの先頭でＳ０〜Ｓ１５に対してＰＳＮをプリセットする。ＰＳＮは各セクタの２ｋバイトのユーザデータに対する物理アドレスであり、４バイトで表現される。１つのＥＣＣブロックは１６セクタからなるため、１つのＥＣＣブロックには１６個のＰＳＮが存在する。プリセットする値は各ＥＣＣブロックの最初のＰＳＮである。Ｓ０〜Ｓ１４にはＰＳＮのＬＳＢ（最下位ビット）側から６ビット目〜２０ビット目（ＰＳ５〜ＰＳ１９；１５ビットのＥＣＭブロック番号に相当）の値がプリセットされ、Ｓ１５には“１”がプリセットされる。プリセットされた後のＳ０〜Ｓ７の出力が最初の出力データとなり、以後、８ビットシフト後のＳ０〜Ｓ７の出力が次の出力データとなる。
【００２７】
ＥＤＣが付加された各セクタ２０５２バイトのデータに対しては、２ｋバイト単位で８ビットシフトが２０５１回繰り返され、８ビットシフト毎に出力データＳ０〜Ｓ２０５１が得られる。なお、プリセット値が各ＥＣＣブロックの最初のＰＳＮであるため、２ｋバイト単位の出力データＳ０〜Ｓ２０５１は同じものとなる。
【００２８】
ＥＣＣブロックに記録される各２ｋバイトのセクタのデータＲＤ０〜ＲＤ２０５１は、元のＥＤＣが付加されたデータをＵＤ０〜ＵＤ２０５１としたとき、ＲＤｋ＝ＵＤｋ＄Ｓｋ（ｋ＝０、・・・、２０５１）で表される。
【００２９】
図１に戻って、ＥＣＣ付加回路１６は、各セクタ２０５２バイト、全１６セクタのデータに対して、ＥＣＣパリティを付加する。ＥＣＣブロックのＥＣＣフォーマットを図４に示す。図４に示すように、ＥＣＣブロックは内符号と外符号とによる積符号で構成される。図中ＰＩは内符号のパリティを示し、図中ＰＯは外符号のパリティを示す。内符号はＲＳ（１８２，１７２，１１）、すなわち符号長１８２、データ長１７２、距離１１のＲＳ符号である。１つのＥＣＣブロックには１９２個の符号語がある。一方、外符号はＲＳ（２０８，１９２，１７）、すなわち符号長２０８、データ長１９２、距離１７のＲＳ符号である。１つのＥＣＣブロックには１８２個の符号語がある。
【００３０】
同期付加回路１７は、ＥＣＣブロックの各行の先頭に同期信号としてのフレームシンクを付加し、変調回路１８は、ＥＣＣブロックの１行目のデータから順に８−１６変調し、記録信号としての変調信号を生成する。
【００３１】
このように、記録信号生成装置１０では、ＣＰＩＤビットブロックのビット情報に基づき、各セクタのユーザデータに付加されたＥＤＣを書き換える。この結果、あるセクタについてエラーが検出された場合には、そのセクタに対応するＣＰＩＤビットブロックのビット情報が“１”であり、エラーが検出されなかった場合には、そのセクタに対応するＣＰＩＤビットブロックのビット情報が“０”であることが分かる。したがって、ＣＰＩＤビットブロックの１６０ビットのビット情報に対応した１６０個のセクタのエラー検出結果を利用して、ＣＰＩＤを復元することができる。
【００３２】
続いて、ＣＰＩＤを含む記録信号を生成すると共に、この記録信号をディスク原盤に記録するディスク記録装置の概略構成を図５に示す。図５に示すように、ディスク記録装置３０は、記録信号生成回路３１と、記録補償回路３２と、ＬＤ（Laser Diode）ドライバ３３と、光ピックアップ３４と、ＬＤ３５と、対物レンズ３６と、サーボ回路３７と、スピンドル回路３８と、システムコンピュータ３９とから構成されている。
【００３３】
記録信号生成回路３１は、上述した記録信号生成装置１０と同様の構成であり、ＣＰＩＤを含む変調信号を生成する。この変調信号は、ディスク原盤４０に記録される形の波形としてＮＲＺＩ（Non Return to Zero Invert）変換され、記録補償回路３２に入力される。なお、ＮＲＺＩ変換では、８−１６変調されたデータが“１００１０１００”であったとき、“ＬＬＬＨＨＬＬＬ”又は“ＨＨＨＬＬＨＨＨ”と変換される。
【００３４】
記録補償回路３２は、再生時のジッタが小さい波形となるように、記録波形を例えばパルストレインとするように記録波形補償する。
【００３５】
ＬＤドライバ３３は、記録補償された波形に応じて光ピックアップ３４のＬＤ３５をオン／オフする。ＬＤ３５からの光ビームは、対物レンズ３６を介してディスク原盤４０に集光され、記録される。
【００３６】
サーボ回路３７は、光ピックアップ３４のシークを行い、スピンドル回路３８は、ディスク原盤４０を回転させるスピンドルモータの制御を行う。システムコンピュータ３９は、記録信号生成回路３１と通信を行うと共に、各ブロックの制御を行う。
【００３７】
このようにして記録信号が記録されたディスク原盤をスタンパとして射出成形を行ってディスク基板を作製し、その後、ディスク基板にアルミニウム等の反射膜をコーティングし、その反射膜上にカバー層をコーティングすることにより、ＣＰＩＤを有する光ディスクを作製することができる。
【００３８】
作製される光ディスク全体のレイアウトを図６に示す。図６に示すように、光ディスク５０は、中央にセンタ孔を有しており、この光ディスク５０の内周から外周に向かって、リードイン領域５１と、データ領域５４と、リードアウト領域５５とが形成されている。
【００３９】
リードイン領域５１は、ディスク中心から半径２２．６〜２４ｍｍに位置し、ＣＰＩＤ等のコピープロテクション情報が記録されたリザーブエリア５２と、ディスク管理情報が記録された管理エリア５３とからなる。上述の通り、ＣＰＩＤはリザーブエリアに記録されているが、リードイン領域５１の管理エリア５３やデータ領域５４とは異なり、当該エリアのユーザデータを再生するコマンドはないため、ＣＰＩＤを秘密情報として記録することができ、機密性の高いコピープロテクションシステムを実現することができる。
【００４０】
データ領域５４は、ディスク中心から半径２４〜５８ｍｍに位置し、当該光ディスク５０のコンテンツ信号が記録されている。
【００４１】
リードアウト領域５５は、ディスク中心から半径５８ｍｍよりも外周に位置し、リードイン領域５１と同様にディスク管理情報が記録されている。このリードアウト領域５５は、シークの際にオーバーランを許容するためのバッファエリアとしても用いられる。
【００４２】
続いて、このようにして作製された光ディスク５０に記録された信号を再生するディスク再生装置の概略構成を図７に示す。図７に示すように、ディスク再生装置６０は、光ピックアップ６１と、ＲＷ（Read/Wright）回路６２と、変復調回路６３と、ＣＰＩＤデコーダ６４と、ＡＶ（Audio/Visual）システム６５と、サーボ回路６６と、スピンドル回路６７と、システムコンピュータ６８とから構成されている。
【００４３】
光ピックアップ６１は、ＬＤを含む光学系、再生ＯＥＩＣ（Opto Eletronic Integrated Circuit）、２軸アクチュエータ等から構成され、光ディスク５０上の信号を再生する。
【００４４】
ＲＷ回路６２は、ＰＬＬ（Phase Locked Loop）等により２値化データ再生を行い、８−１６変調された変調信号を生成する。
【００４５】
変復調回路６３は、図８に示すように、復調部７１と、ＥＣＣデコード部７２と、デスクランブル処理部７３と、ＥＤＣチェック部７４とを含む。
【００４６】
復調部７１は、再生された信号からフレームシンクを検出してフレームシンク同期を行い、フレームシンク同期タイミングに基づいて、８−１６変調された変調信号を復調する。
【００４７】
ＥＣＣデコード部７２は、ＥＣＣブロックに対して、ＰＩブロックにおける１９２個のＲＳ（１８２，１７１，１１）のエラー訂正符号語と、ＰＯブロックにおける１８２個のＲＳ（２０８，１９２，１７）のエラー訂正符号語との積符号により、エラー訂正処理を施す。
【００４８】
デスクランブル処理部７３は、アドレスであるＰＳＮをシードとして、ＥＤＣが付加された各セクタ２０５２バイト、全１６セクタのデータに対してデスクランブル処理を施す。
【００４９】
ＥＤＣチェック部７４は、１６個の各セクタについてエラー検出チェックを行う。この際、ＥＤＣチェック部７４は、ＣＰＩＤを含まないセクタについてはエラー検出チェック後のユーザデータをＡＶシステム６５に供給する。一方、ＣＰＩＤを含むセクタについては、エラー検出チェックの結果に基づき、ＣＰＩＤビットブロックを復元し、復元したＣＰＩＤビットブロックをＣＰＩＤデコーダ６４に供給する。すなわち、ＥＤＣチェック部７４は、あるセクタについてエラーが検出された場合には、そのセクタに対応するＣＰＩＤビットブロックのビット情報が“１”であり、エラーが検出されなかった場合には、そのセクタに対応するＣＰＩＤビットブロックのビット情報が“０”であるとして、ＣＰＩＤビットブロックを復元する。
【００５０】
図７に戻って、ＣＰＩＤデコーダ６４は、図９に示すように、デシャッフル処理部８１と、ＥＣＣデコード部８２とを含む。
【００５１】
デシャッフル処理部８１は、ＣＰＩＤビットブロックに対してデスクランブル処理を施し、さらにデシャッフル処理を施すことにより、１２８ビットのＣＰＩＤに３２ビットのＥＣＣが付加された１６０ビットのデータを生成する。
【００５２】
ＥＣＣデコード部８２は、この１６０ビットのデータに対して、ＲＳ（２０，１６，５）のエラー訂正符号語のエラー訂正処理を施し、１２８ビットのＣＰＩＤを復元する。このＣＰＩＤは、コンテンツ信号のコピープロテクションのキー情報として、ＡＶシステム６５に供給される。
【００５３】
図７に戻って、サーボ回路６６は、光ピックアップ６１のシークを行い、スピンドル回路６７は、光ディスク５０を回転させるスピンドルモータの制御を行う。システムコンピュータ６８は、ＡＶシステム６５と通信を行うと共に、各ブロックの制御を行う。
【００５４】
このようなディスク再生装置６０においてＣＰＩＤを再生する場合、ＡＶシステム６５からシステムコンピュータ６８へとＣＰＩＤの再生コマンドが送られる。システムコンピュータ６８は、変復調回路６３からアドレス情報を取得し、サーボ回路６６にシークを行わせて、光ピックアップ６１のヘッドを所望のアドレス位置に移動させる。
【００５５】
光ピックアップ６１から再生信号が得られると、ＲＷ回路６２は、ＣＰＩＤを含むＥＣＣブロックの信号をＰＬＬ等により再生する。変復調回路６３は、再生された変調信号を復調し、エラー訂正処理及びデスクランブル処理を施した後、エラー検出チェックを行って、ＣＰＩＤビットブロックを復元する。ＣＰＩＤデコーダ６４は、このＣＰＩＤビットブロックからＣＰＩＤを復元する。復元されたＣＰＩＤは、ＡＶシステム６５とシステムコンピュータ６８との間で認証等を行った後、ＣＰＩＤデコーダ６４からＡＶシステム６５へと送られる。
【００５６】
ここで、ＣＰＩＤはユーザデータとして記録されているのではなく、上述のようにＣＰＩＤビットブロックのビット情報に基づき、各セクタのユーザデータに付加されたＥＤＣを書き換えることにより、複数のセクタにおけるエラー検出の有無という形態で記録されており、また、ＥＤＣの内容を読み出すコマンドも存在しないため、ユーザデータからＣＰＩＤを復元することはできない。したがって、仮にユーザデータをそのまま他のメディアにコピーしたとしても、ＣＰＩＤを復元することはできない。
【００５７】
また、ＣＰＩＤはリザーブエリアに記録されおり、リードイン領域５１の管理エリア５３やデータ領域５４とは異なり、当該エリアのユーザデータを再生するコマンドはなく、エラー検出結果をＡＶシステム６５に送る必要はないため、ＣＰＩＤが記録されていることを知ることはできない。
【００５８】
また、ＣＰＩＤビットブロックのビット情報に基づいてＥＤＣを書き換えた後にＥＣＣブロックに対してＥＣＣが付加されるため、ＥＤＣが書き換えられた状態のままで維持されることとなる。したがって、ＥＣＣを用いてエラー訂正処理を施したとしてもＥＤＣに記録されたＣＰＩＤは消去されることなく再生することができるため、実際に傷などが存在しても十分な訂正能力を示すことができる。さらに、ＣＰＩＤ自身にもＥＣＣを付加しているため、再生誤りに対する耐性をより強くすることができる。
【００５９】
一方、ディスク再生装置６０においてコンテンツ信号としてのＡＶストリームを再生する場合、ＡＶシステム６５からシステムコンピュータ６８へと再生コマンドが送られる。システムコンピュータ６８は、変復調回路６３からアドレス情報を取得し、サーボ回路６６にシークを行わせて、光ピックアップ６１のヘッドを所望のアドレス位置に移動させる。
【００６０】
光ピックアップ６１から再生信号が得られると、ＲＷ回路６２は、ＥＣＣブロックの信号をＰＬＬ等により再生する。変復調回路６３は、再生された変調信号を復調し、エラー訂正処理及びデスクランブル処理を施した後、エラー検出チェックを行い、画像再生ビットストリームとしてＡＶシステム６５に送る。ＡＶシステム６５は、ＣＰＩＤの有無により光ディスクに記録されたディジタル信号がオリジナルのものか不法にコピーされたものかを特定することができるため、例えば、ＣＰＩＤデコーダ６４からＣＰＩＤが送られている場合に限り、画像再生ビットストリームを復号して外部に出力することができる。また、画像再生ビットストリームを予め暗号化しておき、ＣＰＩＤによって暗号を解読するようにしてもよい。
【００６１】
以上、本発明を実施するための最良の形態について説明したが、本発明は上述した実施の形態のみに限定されるものではなく、本発明の要旨を逸脱しない範囲において種々の変更が可能であることは勿論である。
【００６２】
例えば、上述の実施の形態では、ＣＰＩＤビットブロックのビット情報に基づき、各セクタのユーザデータに付加されたＥＤＣを書き換えるものとして説明したが、ＥＤＣでなくユーザデータを書き換えるようにしても構わない。すなわち、ＣＰＩＤビットブロックのビット情報が例えば“１”であるときに、そのセクタについてエラーが検出されるように、ユーザデータ及びＥＤＣの一部を書き換えればよい。
【００６３】
また、上述の実施の形態では、ＣＰＩＤ等のコピープロテクション情報をリードイン領域のリザーブエリアに記録するものとして説明したが、リードアウト領域のリザーブエリアに記録するようにしても構わない。
【図面の簡単な説明】
【００６４】
【図１】本実施の形態における記録信号生成装置の概略構成を示す図である。
【図２】ＣＰＩＤのＥＣＣフォーマットを示す図である。
【図３】上記記録信号生成装置内のスクランブル処理回路の詳細を示す図である。
【図４】ＥＣＣブロックのＥＣＣフォーマットを示す図である。
【図５】本実施の形態におけるディスク記録装置の概略構成を示す図である。
【図６】光ディスク全体のレイアウトを示す図である。
【図７】本実施の形態におけるディスク再生装置の概略構成を示す図である。
【図８】上記ディスク再生装置内の変復調回路の詳細を示す図である。
【図９】上記ディスク再生装置内のＣＰＩＤデコーダの詳細を示す図である。
【符号の説明】
【００６５】
１０  記録信号生成装置、１１  ＥＣＣ付加回路、１２  シャッフル処理回路、１３  ＥＤＣ付加回路、１４  ＥＤＣ書換回路、１５  スクランブル処理回路、１６  ＥＣＣ付加回路、１７  同期付加回路、１８  変調回路、３０  ディスク記録装置、３１  記録信号生成回路、３２  記録補償回路、３３  ＬＤドライバ、３４  光ピックアップ、４０  ディスク原盤、５０  光ディスク、６０  ディスク再生装置、６１  光ピックアップ、６２  ＲＷ回路、６３  変復調回路、６４  ＣＰＩＤデコーダ、６５  ＡＶシステム、６８  システムコンピュータ、７１  復調部、７２  ＥＣＣデコード部、７３  デスクランブル処理部、７４  ＥＤＣチェック部、８１  デシャッフル処理部、８２  ＥＣＣデコード部
【図１】
2007102846.tif 000003
【図２】
2007102846.tif 000004
【図３】
2007102846.tif 000005
【図４】
2007102846.tif 000006
【図５】
2007102846.tif 000007
【図６】
2007102846.tif 000008
【図７】
2007102846.tif 000009
【図８】
2007102846.tif 000010
【図９】
2007102846.tif 000011